(57)【要約】【課題】所定数のコインを抜け落ちなく保持し、かつ、一枚ずつ取り出し可能なコインホルダ及びコインセットを提供する。【解決手段】コインセット５０は、コインホルダ１０とそれに保持された所定数の穴３２を有するコイン３０により構成される。コインホルダ１０は、コイン３０を所定数通す長さを有する紐状の挿通部１２と、紐状の環状部１４と、挿通部１２と環状部１４の付け根に設けられた留金具１６と、紐状体１２の端部に設けられた第１の凸部２０と、該第１の凸部２０から挿通部１２に連続して形成された所定の長さの延長部１８と、その先端に形成された第２の凸部２２からなる。第１の凸部２０及び第２の凸部２２は、コイン３０の穴３２より大きく、かつ、コイン３０を引っ張ることで変形して穴３２を抜けるように形成される。一番上のコイン３０には、任意の文字４６を設けた表示片４０が重ねられる。【選択図】図１
0003218103.tif 000002
【実用新案登録請求の範囲】
【請求項１】
中央に穴を有するコインを所定数通す長さを有する紐状の挿通部と、
該挿通部の一端側に設けられた紐状の環状部と、
前記挿通部の他端側に形成されており、前記コインの穴より大きく、かつ、該コインを引っ張ることで前記コインの穴を抜ける第１の凸部と、
該第１の凸部から前記挿通部に連続して形成された所定の長さの延長部と、
該延長部の先端に形成されており、前記コインの穴より大きく、かつ、該コインを引っ張ることで前記コインの穴を抜ける第２の凸部と、
を有することを特徴とするコインホルダ。
【請求項２】
前記第１の凸部及び第２の凸部が、紐状体を結んだ結び目であることを特徴とする請求項１記載のコインホルダ。
【請求項３】
前記コインと略同一形状であって、中央に穴を有するとともに、所定の文字が表面に設けられ、前記挿通部に挿通可能な表示片、
を有することを特徴とする請求項１又は２記載のコインホルダ。
【請求項４】
請求項１〜３のいずれか一項に記載のコインホルダと、
該コインホルダの挿通部に挿通された所定数のコインと、
前記コインホルダの挿通部と環状部の付け根に設けられており、前記コインの穴が通らない大きさの留め具と、
を有することを特徴とするコインセット。
【考案の詳細な説明】
【技術分野】
【０００１】
本考案は、硬貨やおもちゃのコインを保持するコインホルダ及びコインセットに関し、更に具体的には、所定数のコインを抜け落ちなく保持し、かつ、コインを取り出し可能なコインホルダと、それを利用したコインセットに関するものである。
【背景技術】
【０００２】
従来、所定数のコイン（硬貨やおもちゃのコインなど）を保持するものとして、下記特許文献１に示す技術がある。特許文献１には、紙厚さの中心部まで茶色に着色された硬貨程度の厚さの厚紙に、寛永通宝の文字と図柄を印刷して寛永通宝に似せた形に打ち抜いた模造一文銭の６枚と、この６枚の模造一文銭が離散しないようにその中心穴に挿通した紐とを備えた、模造六文銭が開示されている。
【先行技術文献】
【特許文献】
【０００３】
【特許文献１】実用新案登録第３０８３５３１号公報
【考案の概要】
【考案が解決しようとする課題】
【０００４】
しかしながら、上述した特許文献１は、一定数のコインを保持することができるものの、それを取り出して使用することができる構造とはなっていない。そのため、所定数（例えば１０枚など）のコインを保持し、神社仏閣などにお参りしてお賽銭箱に一枚ずつ硬貨を入れるようなときに使用するのは困難である。また、おもちゃのコインなどを使用して、コインを一枚ずつ抜き取り、銭形平次のように投げ銭をして遊ぶようなこともできない。
【０００５】
本考案は、以上のような点に着目したもので、コイン（硬貨やおもちゃのコインなど）を所定数保持し、かつ、抜け落ちなく、一枚ずつ取り出し可能なコインホルダ及びコインセットを提供することを、その目的とする。
【課題を解決するための手段】
【０００６】
本考案のコインホルダは、中央に穴を有するコインを所定数通す長さを有する紐状の挿通部と、該挿通部の一端側に設けられた紐状の環状部と、前記挿通部の他端側に形成されており、前記コインの穴より大きく、かつ、該コインを引っ張ることで変形して前記コインの穴を抜ける第１の凸部と、該第１の凸部から前記挿通部に連続して形成された所定の長さの延長部と、該延長部の先端に形成されており、前記コインの穴より大きく、かつ、該コインを引っ張ることで変形して前記コインの穴を抜ける第２の凸部と、を有することを特徴とする。
【０００７】
また、本考案のコインホルダは、前記第１の凸部及び第２の凸部が、紐状体を結んだ結び目であることを特徴とする。
【０００８】
更に、本考案のコインホルダは、前記コインと略同一形状であって、中央に穴を有するとともに、所定の文字が表面に設けられ、前記挿通部に挿通可能な表示片、を有することを特徴とする。
【０００９】
本考案のコインセットは、前記いずれかに記載のコインホルダと、該コインホルダの挿通部に挿通された所定数のコインと、前記コインホルダの挿通部と環状部の付け根に設けられており、前記コインの穴が通らない大きさの留め具と、を有することを特徴とする。
【考案の効果】
【００１０】
本考案のコインホルダによれば、中央に穴を有するコインを所定数通す長さを有する紐状の挿通部と、該挿通部の一端側に設けられた紐状の環状部と、前記挿通部の他端側に形成されており、前記コインの穴より大きく、かつ、該コインを引っ張ることで変形して前記コインの穴を抜ける第１の凸部と、該第１の凸部から前記挿通部に連続して形成された所定の長さの延長部と、該延長部の先端に形成されており、前記コインの穴より大きく、かつ、該コインを引っ張ることで変形して前記コインの穴を抜ける第２の凸部と、を有することとした。このため、所定数のコインを保持し、かつ、一枚ずつ取り出し可能である。特に、凸部を２ヶ所設けることで、コインが誤って抜け落ちることを防止できる。
【００１１】
また、本考案のコインセットによれば、前記コインホルダと、該コインホルダの挿通部に挿通された所定数のコインと、前記コインホルダの挿通部と環状部の付け根に設けられており、前記コインの穴が通らない大きさの留め具と、を有することとしたので、コインホルダにコインを通す手間を省くことができる。
【図面の簡単な説明】
【００１２】
【図１】本考案の実施例１を示す図であり、(A)はコインセットの全体構成を示す図、(B)は表示片を示す平面図、(C)は表示片を示す斜視図である。
【図２】本考案の実施例１の使用方法の一例を示す図である。
【考案を実施するための形態】
【００１３】
以下、本考案を実施するための最良の形態を、実施例に基づいて詳細に説明する。
【実施例１】
【００１４】
最初に、図１を参照しながら、本考案の実施例１を説明する。図１は、本実施例を示す図であり、(A)はコインセットの全体構成を示す図、(B)は表示片を示す平面図、(C)は表示片を示す斜視図である。
【００１５】
図１(A)に示すように、本実施例のコインセット５０は、所定数のコインを保持するコインホルダ１０と所定数のコイン３０をセットにしたものである。なお、ここでいう「コイン」とは、硬貨であってもよいし、おもちゃのコインであってもよい。コイン３０は、中央部に穴３２を有している。従って、実際の硬貨であれば、５円玉か５０円玉をセットすることになる。
【００１６】
コインホルダ１０は、前記コイン３０の穴３２に通すことが可能であって、所定数のコイン３０（例えば１０枚など）を保持する長さを有する紐状の挿通部１２と、該挿通部１２の一端側に形成された紐状の環状部１４と、前記挿通部１２の他端側に設けられた第１の凸部２０、延長部１８、第２の凸部２２により構成されている。
【００１７】
前記環状部１４は、例えば、図示しないベルト等に通すものであり、挿通部１２を構成する紐状体の一端側を輪にして留金具１６で固定されている。留金具１６は、コイン３０の穴３２を通らない大きさに設定されており、挿通部１２にコイン３０を通した後に留金具１６を固定することで、コイン３０が環状部１４側から抜けることを防止する。
【００１８】
前記第１の凸部２０は、前記挿通部１２の他端側に形成されており、コイン３０の穴３２よりも若干大きく、かつ、コイン３０を多少の力を入れて引くことで変形し、前記穴３２を抜けることが可能な大きさに形成されている。例えば、第１の凸部２０は、コイン３０の穴３２の直径よりも、０．２〜０．５ｍｍ程度大きく形成されている。
【００１９】
前記延長部１８は、前記第１の凸部２０から前記挿通部１２に連続して形成されており、所定の長さを有している。所定の長さとは、例えば、１ｃｍ程度である。
【００２０】
前記第２の凸部２２は、前記延長部１８の先端に形成されており、前記第１の凸部２０と同様に、コイン３０の穴３２よりも若干大きく、かつ、コイン３０を多少の力を入れて引くことで変形し、前記穴３２を抜けることが可能な大きさに形成されている。例えば、第２の凸部２２は、コイン３０の穴３２の直径よりも、０．２〜０．５ｍｍ程度大きく形成されている。
【００２１】
前記挿通部１２、第１の凸部２０、延長部１８、第２の凸部２２は、一本の紐状体の端部に、所定の間隔で結び目を作ることで形成される。このように、結び目を二つ、すなわち、第１の凸部２０と第２の凸部２２を設けることで、誤って抜け落ちるのを防止することができる。なお、コインホルダ１０を形成する紐状体の素材は、公知の各種の素材を使用してよい。
【００２２】
また、本実施例のコインセット５０は、コインホルダ１０に保持された所定数のコイン３０の一番上のコイン３０の上に載せる表示片４０を備えている。表示片４０は、図１(A)に示すように、コイン３０と略同一形状であって、中央に穴４８を有する。また、本実施例では、前記表示片４０は、図１(B)及び(C)に示すように、コイン３０と略同一形状３０の台紙４２の上に、剥離可能なシール４４が貼られており、シール４４の表面に所定の文字４６が設けられている。
【００２３】
図示の例では、所定の文字４６は「満願成就」であるが、これは一例であり、他の文字、例えば、「交通安全」、「商売繁盛」、「合格祈願」、「家内安全」、「病気平癒」など、任意の文字であってよい。また、表示片４０は、そのまま一番上のコイン３０の上に重ねてもよいが、シール４４を剥がして、一番上のコイン３０に貼るようにしてもよい。
【００２４】
次に、図２を参照しながら、本実施例のコインセット５０の使用方法の一例を説明する。まず、図２(A)に示すように、環状部１４をベルト等に通して吊るした状態では、挿通部１２に通した一番下のコイン３０の穴３２は、第１の凸部２０により抜けずに係止されている。
【００２５】
そして、図２(B)に示すように、一番下のコイン３０を、例えば、人差し指６０と親指６２で摘まんで、同図に矢印で示すように、多少の力を入れて引くと、第１の凸部２０が変形してコイン３０の穴３２を通り、図２(C)に示すように、一番下のコイン３０は、延長部１８の先端に設けられた第２の凸部２２によって係止される。
【００２６】
そして、図２(C)に矢印で示すように、更にコイン３０を引っ張ると、図２(D)に示すように、第２の凸部２２がコイン３０の穴３２を抜ける。抜き出したコイン３０は、例えば、神社仏閣にお参りに行ったときに、そのコイン３０だけ又は他の金銭と一緒に賽銭箱に入れる。
【００２７】
残りのコイン３０についても、神社仏閣にお参りに行く度に、上述した手順で一枚ずつ抜き出して賽銭箱に入れる。そして、最後のコイン３０（表示片４０のシール４２を貼ったものであってもよい）を賽銭箱に入れてお参りすれば、満願成就の祈願が完了するという具合である。
【００２８】
なお、この使用方法の例では、実際の硬貨を用いて神社仏閣にお参りするときのお賽銭を例に挙げて説明したが、本実施例のコインセット５０におもちゃのコイン３０をセットし、遊戯などに使用することを妨げるものではない。
【００２９】
このように、本実施例によれば、次のような効果がある。
(1)中央に穴３２を有するコイン３０を所定数通す長さを有する紐状の挿通部１２と、該挿通部１２の一端側に設けられた紐状の環状部１４と、前記挿通部１２の他端側に形成されており、コイン３０の穴３２より大きく、かつ、該コイン３０を引っ張ることで変形して前記穴３２を抜ける第１の凸部２０と、該第１の凸部２０から前記挿通部１２に連続して形成された所定の長さの延長部１８と、該延長部１８の先端に形成されており、前記コイン３０の穴３２より大きく、かつ、該コイン３０を引っ張ることで変形して前記穴３２を抜ける第２の凸部２２とを有することとした。このため、所定数のコインを保持し、かつ、一枚ずつ取り出し可能である。特に、凸部を２ヶ所設けることで、コイン３０が誤って抜け落ちることを防止できる。
【００３０】
(2)前記第１の凸部２０及び第２の凸部２２が、紐状体を結んだ結び目であるので、製作が容易である。
(3)コイン３０と略同一形状であって、中央に穴４８を有するとともに、所定の文字４６が表面に設けられ、前記挿通部１２に挿通可能な表示片４０を設けることとしたので、例えば、神社仏閣にお参りする度に、コイン３０を一枚ずつ抜き取って賽銭箱に入れると、最後のコイン３０を使ったときに、「満願成就」などの祈願の完了のめどとなる。
(4)前記表示片４０を、台紙４２と、該台紙４２から剥離可能なシール４４で構成し、シール４４の表面に任意の文字４６を設けて、シール４４を剥がして一番上のコイン３０に貼るようにすることで、最後のコイン３０を使用したときに、表示片４０のみが残ることがない。
(5)挿通部１２と環状部１４の付け根を留金具１６で固定することとしたので、挿通部１２に通したコイン３０が環状部１４側から抜けることがない。
【００３１】
なお、本考案は、上述した実施例に限定されるものではなく、本考案の要旨を逸脱しない範囲内において種々変更を加え得ることができる。例えば、以下のものも含まれる。
(1)前記実施例で示したコイン３０は、実際の硬貨であってもよいし、おもちゃのコインであってもよい。おもちゃのコインの場合は、形状、大きさ、素材など、必要に応じて適宜変更してよい。
(2)前記実施例で示したコイン３０の保持数も一例であり、必要に応じて増減してよい。
(3)前記実施例では、第１の凸部２０及び第２の凸部２２を、紐状体の結び目により形成することとしたが、これも一例であり、弾性体などを所定の間隔で紐状体に固定するようにしてもよい。
(4)前記実施例では、環状部１４の輪に直接ベルトに通してコインセット５０を身に着けることとしたが、これも一例であり、同様の効果を奏する範囲内で適宜設計変更可能である。例えば、環状部１４の先端に適宜長さのバーを設け、環状部１４の全体を、ベルトとズボンの間に通してベルトの表面をまわし、前記バーを環状部１４の輪の内側にかけて引っ張ることで、ベルトを外さずに、コインセット５０を身に着けることができる。
(5)前記実施例で示した表示片４０の文字４６も一例であり、必要に応じて適宜変更してよい。また、前記実施例では、表示片４０を、台紙４２とシール４４からなる構成としたがこれも一例である。例えば、表示片４０を、プラスチック片により形成し、その表面に直に文字４６を設けるようにしてもよい。また、表示片４０の裏面に各種表示を設けることを妨げるものではない。例えば、表示片４０の裏面に「年月日」、「満願」という文字を設け、所定回数のお参りを済ませた日の数字を表示片の裏面に書き込むようにしてもよい。更に、前記実施例では、表示片４０の穴４８を、第１の凸部２０及び第２の凸部２２を通過可能な大きさとしたが、これも一例であり、穴４８の大きさを、第１の凸部２０及び第２の凸部２２を通らない大きさとすることで、所定数のコイン３０をお賽銭として使ったあと、表示片４０のみをコインホルダ１０に残し、記念にとっておくようにしてもよい。また、表示片４０の穴４８を小さくすることで、コイン３０が環状部１４側から抜け落ちることを防止するようにしてもよい。
【産業上の利用可能性】
【００３２】
本考案によれば、中央に穴を有するコインを所定数通す長さを有する紐状の挿通部と、該挿通部の一端側に設けられた紐状の環状部と、前記挿通部の他端側に形成されており、前記コインの穴より大きく、かつ、該コインを引っ張ることで変形して前記コインの穴を抜ける第１の凸部と、該第１の凸部から前記挿通部に連続して形成された所定の長さの延長部と、該延長部の先端に形成されており、前記コインの穴より大きく、かつ、該コインを引っ張ることで変形して前記コインの穴を抜ける第２の凸部と、を有することとした。このため、所定数のコインを保持し、かつ、一枚ずつ取り出し可能である。特に、凸部を２ヶ所設けることで、コインが誤って抜け落ちることを防止できるため、コインホルダの用途に適用できる。
【００３３】
また、本考案によれば、前記コインホルダと、該コインホルダの挿通部に挿通された所定数のコインと、前記コインホルダの挿通部と環状部の付け根に設けられており、前記コインの穴が通らない大きさの留め具と、を有することで、コインセットの用途に適用できる。
【符号の説明】
【００３４】
１０：コインホルダ
１２：挿通部
１４：環状部
１６：留金具
１８：延長部
２０：第１の凸部
２２：第２の凸部
３０：コイン
３２：穴
４０：表示片
４２：台紙
４４：シール
４６：文字
４８：穴
５０：コインセット
６０：人差し指
６２：親指
【図１】
0003218103.tif 000003
【図２】
0003218103.tif 000004